【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
自車両（４０）の周囲に存在する物標を認識する物標認識部と、
前記自車両の操舵に関する指標の瞬間値である瞬時指標を用いて、前記物標認識部により認識された物標と前記自車両との衝突を回避するための運転者による衝突回避操作の開始を判定する操作判定部と、
前記操作判定部により前記衝突回避操作が開始されたと判定された場合に、前記物標と前記自車両との衝突を回避又は衝突被害を軽減するための運転支援を開始する支援開始タイミングを、前記衝突回避操作が開始されていない場合に比べて遅いタイミングに設定するタイミング演算部と、
前記タイミング演算部で設定した支援開始タイミングに基づいて前記運転支援を開始する制御部と、を備え、
前記タイミング演算部は、前記操作判定部により前記衝突回避操作が開始されたと判定されてから所定の設定時間が経過するまでの期間である衝突回避期間であって、前記支援開始タイミングを前記遅いタイミングに変更した後における前記支援開始タイミングを、前記瞬時指標によらず、前記衝突回避期間内の複数タイミングでの前記瞬時指標を用いて表される経時指標を用いて設定する、運転支援装置（１０）。
【請求項２】
前記タイミング演算部は、前記衝突回避期間のうち開始点を含む一部の期間である回避当初期間での前記経時指標を用いて、前記衝突回避期間における前記支援開始タイミングを前記遅いタイミングのままにするか、又は前記衝突回避操作が開始されていない場合の前記支援開始タイミングに変更する、請求項１に記載の運転支援装置。
【請求項３】
前記回避当初期間の長さが予め定められており、
前記タイミング演算部は、前記回避当初期間が経過するまでは、前記衝突回避期間における前記支援開始タイミングを前記遅いタイミングとし、前記回避当初期間が経過した後に前記回避当初期間での前記経時指標と閾値とを比較し、該比較の結果に基づいて、前記衝突回避期間における前記支援開始タイミングを前記遅いタイミングのままにするか、又は前記衝突回避操作が開始されていない場合の前記支援開始タイミングに変更する、請求項２に記載の運転支援装置。
【請求項４】
自車両（４０）の周囲に存在する物標を認識する物標認識部と、
前記自車両の操舵に関する指標の瞬間値である瞬時指標に基づいて、前記物標認識部により認識された物標と前記自車両との衝突を回避するための運転者による衝突回避操作の開始を判定する操作判定部と、
前記操作判定部により前記衝突回避操作が開始されたと判定された場合に、前記物標と前記自車両との衝突を回避又は衝突被害を軽減するための運転支援を開始する支援開始タイミングを、前記衝突回避操作が開始されていない場合に比べて遅いタイミングに設定するタイミング演算部と、
前記タイミング演算部で設定した支援開始タイミングに基づいて前記運転支援を開始する制御部と、を備え、
前記操作判定部により前記衝突回避操作が開始されたと判定されてから所定の設定時間が経過するまでの期間である衝突回避期間のうち開始点を含む一部の期間である回避当初期間の長さが予め定められており、
前記タイミング演算部は、前記回避当初期間が経過するまでは、前記衝突回避期間における前記支援開始タイミングを前記遅いタイミングとし、前記回避当初期間が経過した後は、前記回避当初期間内の複数タイミングでの前記瞬時指標を用いて表される経時指標と閾値とを比較し、該比較の結果に基づいて、前記衝突回避期間における前記支援開始タイミングを前記遅いタイミングのままにするか、又は前記衝突回避操作が開始されていない場合の前記支援開始タイミングに変更する、運転支援装置。
【請求項５】
前記運転支援として、前記自車両に搭載された警報装置を作動させる第１制御と、前記自車両の制動装置により前記運転者のブレーキ操作を補助する第２制御と、前記制動装置により前記自車両の自動制動を行う第３制御と、を実行する機能を有し、
前記回避当初期間の長さ及び前記閾値の少なくとも一方は、前記運転支援の制御ごとに可変に設定される、請求項３又は４に記載の運転支援装置。
【請求項６】
前記回避当初期間の長さ及び前記閾値の少なくとも一方は、前記自車両の車速に応じて可変に設定される、請求項３乃至５のいずれか一項に記載の運転支援装置。
【請求項７】
前記回避当初期間が時間経過に伴い長くなり、
前記タイミング演算部は、前記回避当初期間での前記経時指標と閾値とを逐次比較し、該比較の結果に基づいて、前記衝突回避期間における前記支援開始タイミングを前記遅いタイミングのままにするか、又は前記衝突回避操作が開始されていない場合の前記支援開始タイミングに変更する、請求項２に記載の運転支援装置。
【請求項８】
自車両（４０）の周囲に存在する物標を認識する物標認識部と、
前記自車両の操舵に関する指標の瞬間値である瞬時指標に基づいて、前記物標認識部により認識された物標と前記自車両との衝突を回避するための運転者による衝突回避操作の開始を判定する操作判定部と、
前記操作判定部により前記衝突回避操作が開始されたと判定された場合に、前記物標と前記自車両との衝突を回避又は衝突被害を軽減するための運転支援を開始する支援開始タイミングを、前記衝突回避操作が開始されていない場合に比べて遅いタイミングに設定するタイミング演算部と、
前記タイミング演算部で設定した支援開始タイミングに基づいて前記運転支援を開始する制御部と、を備え、
前記操作判定部により前記衝突回避操作が開始されたと判定されてから所定の設定時間が経過するまでの期間である衝突回避期間のうち開始点を含む一部の期間である回避当初期間が時間経過に伴い長くなり、
前記タイミング演算部は、前記回避当初期間内の複数タイミングでの前記瞬時指標を用いて表される経時指標と閾値とを逐次比較し、該比較の結果に基づいて、前記衝突回避期間における前記支援開始タイミングを前記遅いタイミングのままにするか、又は前記衝突回避操作が開始されていない場合の前記支援開始タイミングに変更する、運転支援装置。
【請求項９】
前記運転支援として、前記自車両に搭載された警報装置を作動させる第１制御と、前記自車両の制動装置により前記運転者のブレーキ操作を補助する第２制御と、前記制動装置により前記自車両の自動制動を行う第３制御と、を実行する機能を有し、
前記閾値は、前記運転支援の制御ごとに可変に設定される、請求項７又は８に記載の運転支援装置。
【請求項１０】
前記閾値は、前記自車両の車速に応じて可変に設定される、請求項７乃至９のいずれか一項に記載の運転支援装置。
【請求項１１】
前記経時指標は、前記衝突回避期間の開始から所定時間内での操舵角の変化量、操舵角の平均値及び操舵角速度の平均値の少なくともいずれかである、請求項１〜１０のいずれか一項に記載の運転支援装置。
【請求項１２】
前記瞬時指標は、操舵角及び操舵角速度の少なくともいずれかの瞬間値である、請求項１〜１１のいずれか一項に記載の運転支援装置。
【請求項１３】
自車両（４０）の周囲に存在する物標を認識し、
前記自車両の操舵に関する指標の瞬間値である瞬時指標を用いて、前記認識された物標と前記自車両との衝突を回避するための運転者による衝突回避操作の開始を判定し、
前記衝突回避操作が開始されたと判定された場合に、前記物標と前記自車両との衝突を回避又は衝突被害を軽減するための運転支援を開始する支援開始タイミングを、前記衝突回避操作が開始されていない場合に比べて遅いタイミングに設定するとともに、前記衝突回避操作が開始されたと判定されてから所定の設定時間が経過するまでの期間である衝突回避期間であって、前記支援開始タイミングを前記遅いタイミングに変更した後における前記支援開始タイミングを、前記瞬時指標によらず、前記衝突回避期間内の複数タイミングでの前記瞬時指標を用いて表される経時指標を用いて設定し、
前記設定した支援開始タイミングに基づいて前記運転支援を開始する、運転支援方法。
【手続補正２】
【補正対象書類名】明細書
【補正対象項目名】０００７
【補正方法】変更
【補正の内容】
【０００７】
請求項１に記載の発明は、運転支援装置（１０）に関するものであり、自車両（４０）の周囲に存在する物標を認識する物標認識部と、前記自車両の操舵に関する指標の瞬間値である瞬時指標を用いて、前記物標認識部により認識された物標と前記自車両との衝突を回避するための運転者による衝突回避操作の開始を判定する操作判定部と、前記操作判定部により前記衝突回避操作が開始されたと判定された場合に、前記物標と前記自車両との衝突を回避又は衝突被害を軽減するための運転支援を開始する支援開始タイミングを、前記衝突回避操作が開始されていない場合に比べて遅いタイミングに設定するタイミング演算部と、前記タイミング演算部で設定した支援開始タイミングに基づいて前記運転支援を開始する制御部と、を備える。また、前記タイミング演算部は、前記操作判定部により前記衝突回避操作が開始されたと判定されてから所定の設定時間が経過するまでの期間である衝突回避期間であって、前記支援開始タイミングを前記遅いタイミングに変更した後における前記支援開始タイミングを、前記瞬時指標によらず、前記衝突回避期間内の複数タイミングでの前記瞬時指標を用いて表される経時指標を用いて設定する。